(57)【特許請求の範囲】
【請求項１】
第１方向に沿って接続される光コネクタフェルールであって、
光導波部材が固定されて、前記光導波部材に対する光の入出射が行われる入出射部と、
前記入出射部に入出射される光の光路上に設けられた反射面と、
前記反射面によって反射された光を透過することによって他の前記光コネクタフェルールに光を入射させ、又は他の前記光コネクタフェルールからの光を透過することによって前記反射面に光を入射させる透過部と、
前記反射面に設けられたレンズと、を備え、
前記入出射部から前記反射面を介して前記透過部に至るまでの光路は、屈折率が１．６０以上且つ１．６５以下の材料によって構成されており、
前記光導波部材は、光ファイバのコアであり、
前記コアの中心に入出射する光であって前記入出射部と前記反射面との間を通る光の光軸と、前記コアの中心に入出射する光であって前記反射面と前記透過部との間を通る光の光軸と、の成す角度は、８４度より大きく且つ８８度以下である、
光コネクタフェルール。
【請求項２】
前記角度は、他の前記光コネクタフェルールとの接続時に、他の前記光コネクタフェルールの前記反射面が前記第１方向において前記入出射部よりも他の前記光コネクタフェルール側に配置される角度である、
請求項１に記載の光コネクタフェルール。
【請求項３】
前記レンズは、前記反射面内における互いに垂直な２方向において焦点距離が互いに異なるトロイダルミラーによって構成される、
請求項１又は２に記載の光コネクタフェルール。
【請求項４】
前記２方向のうちの一方の方向は、前記透過部を透過する光の光軸方向から見たときに前記第１方向と重なる方向であり、
前記一方の方向における光の焦点距離は、前記２方向のうちの他方の方向における光の焦点距離より短い、
請求項３に記載の光コネクタフェルール。
【請求項５】
前記光導波部材を通る光の中心光軸は、前記レンズの頂点と略一致している、
請求項１〜４のいずれか一項に記載の光コネクタフェルール。
【発明の詳細な説明】
【技術分野】
【０００１】
本発明は、光コネクタフェルールに関するものである。
【背景技術】
【０００２】
特許文献１には、ファイバを挿入する部位とレンズを保持する部位とが別体となったレンズ付きコネクタが記載されている。このコネクタは、互いに接続可能となっている。また、ファイバを挿入する部位には、ファイバを保持する穴と、ファイバを被覆する被覆部を保持する穴とが設けられている。このコネクタのファイバから出射された光は、レンズを介して拡大ビームとされる。また、特許文献１には、光ファイバから出射された光を９０度反射させるパラボリックミラーを備えた構造が記載されている。
【先行技術文献】
【特許文献】
【０００３】
【特許文献１】米国特許第８，３６０，６５９号公報
【発明の概要】
【発明が解決しようとする課題】
【０００４】
特許文献１に記載されたコネクタでは、光が９０度反射されてから出射されるので、ファイバのコアの中心から出射された光と、コアの外縁から出射された光と、において光路差が生じている。よって、コアの中心から出射された光とコアの外縁から出射された光との間で集光位置に差が生じている。このため、相手方コネクタと接続したときに、相手方コネクタのファイバのコアに集光されない成分が生じているので、コネクタ間における光の接続損失について改善の余地がある。
【０００５】
本発明は、このような実情に鑑みてなされたものであり、光の接続損失を低減させることができる光コネクタフェルールを提供することを課題とする。
【課題を解決するための手段】
【０００６】
上述した課題を解決するために、本発明の一側面に係る光コネクタフェルールは、第１方向に沿って接続される光コネクタフェルールであって、光導波部材が固定されて、光導波部材に対する光の入出射が行われる入出射部と、入出射部に入出射される光の光路上に設けられた反射面と、反射面によって反射された光を透過することによって他の光コネクタフェルールに光を入射させ、又は他の光コネクタフェルールからの光を透過することによって反射面に光を入射させる透過部と、反射面に設けられたレンズと、を備え、入出射部と反射面との間を通る光と、反射面と透過部との間を通る光と、の成す角度は９０度より小さい。
【発明の効果】
【０００７】
本発明によれば、光の接続損失を低減させることができる。
【図面の簡単な説明】
【０００８】
【図１】図１は、第１実施形態に係る一対の光コネクタフェルールを第１方向に沿って接続した状態を示す斜視図である。
【図２】図１における一対の光コネクタフェルールのうち一方を示す断面図である。
【図３】一対の光コネクタフェルールを接続した場合に各反射面に形成されたレンズを介して光ファイバが光接続される状態を示す概念図である。
【図４】従来の光コネクタフェルールを接続した場合に各反射面に形成されたレンズを介して光ファイバが光接続される状態を示す概念図である。
【図５】一方の光コネクタフェルールにおける、光の反射角と、光が反射面を透過することによる透過損失との関係を示すグラフである。
【図６】第２実施形態に係る一対の光コネクタフェルールを接続した場合に、各反射面に形成されたレンズを介して光ファイバが光接続される状態を示す概念図である。
【発明を実施するための形態】
【０００９】
［本発明の実施形態の説明］
最初に、本発明の実施形態の内容を列記して説明する。（１）本発明の一側面に係る光コネクタフェルールは、第１方向に沿って接続される光コネクタフェルールであって、光導波部材が固定されて、光導波部材に対する光の入出射が行われる入出射部と、入出射部に入出射される光の光路上に設けられた反射面と、反射面によって反射された光を透過することによって他の光コネクタフェルールに光を入射させ、又は他の光コネクタフェルールからの光を透過することによって反射面に光を入射させる透過部と、反射面に設けられたレンズと、を備え、入出射部と反射面との間を通る光と、反射面と透過部との間を通る光と、の成す角度は９０度より小さい。
【００１０】
本発明の一側面に係る光コネクタフェルールでは、入出射部と反射面との間を通る光と、反射面と透過部との間を通る光との成す角度が９０度より小さい。従って、互いに接続される２つの光コネクタフェルールを含む面における第１方向に垂直な方向と、反射面との成す角度が４５度より小さくなる。このとき、光導波部材の中心から出射された光の反射面上における位置と、光導波部材の外縁から出射された光の反射面上における位置とは第１方向において近くなる。これにより、２つの光コネクタフェルールの各反射面間を通る各光の角度の差が小さくなる。従って、入出射部と反射面との間を通る光における光路差、及び反射面と透過部との間を通る光における光路差を小さくすることができる。よって、他の光コネクタフェルールの光導波部材に到達する光の光路長差を小さくすることができる。このため、光の結合効率を向上させ、光の接続損失を低減させることができる。
【００１１】
（２）上記の光コネクタフェルールにおいて、上述した角度は、他の光コネクタフェルールとの接続時に、他の光コネクタフェルールの反射面が第１方向において入出射部よりも他の光コネクタフェルール側に配置される角度であってもよい。これにより、光導波部材の配置位置と、反射面及び透過面の配置位置とが離間することとなる。従って、光コネクタフェルールの製造を容易に行うことができる。
【００１２】
（３）上記作用効果を好適に奏する構成として、具体的には、上述した角度は、７０度より大きく且つ９０度より小さい、という構成が挙げられる。
【００１３】
（４）上記の光コネクタフェルールにおいて、入出射部から反射面を介して透過部に至るまでの光路は、屈折率が１．６０以上且つ１．６５以下の材料によって構成されており、上述した角度は、８４度より大きく且つ９０度より小さくてもよい。これにより、反射面が当該材料と空気との界面である場合、反射面を光が透過してロスになることを抑制できる。従って、光の接続損失を低減させることができる。
【００１４】
（５）上記の光コネクタフェルールにおいて、レンズは、反射面内における互いに垂直な２方向において焦点距離が互いに異なるトロイダルミラーによって構成されてもよい。これにより、入出射部から反射面に到達する光の形状に応じて上述した２方向における光のコリメート状態が異なってしまうことを抑制することができる。よって、他の光コネクタフェルールの光導波部材に一層確実に集光させることができる。従って、光の結合効率を向上させ、光の接続損失を低減させることができる。
【００１５】
（６）上記の光コネクタフェルールにおいて、２方向のうちの一方の方向は、透過部を透過する光の光軸方向から見たときに、第１方向と重なる方向であり、一方の方向における光の焦点距離は、２方向のうちの他方の方向における光の焦点距離より短くてもよい。この場合、反射面で反射された光は、上記第１方向と重なる方向に長軸を有する楕円状となる。この楕円状の光において、長軸における光と短軸における光とを同じ位置で集光させる場合には、長軸における光を大きな屈折角で集光させる必要がある。従って、第１方向と重なる方向における光の焦点距離を短くすることによって、当該重なる方向における屈折角を大きくすることができるので、長軸における光と短軸における光とを同じ位置で集光させることができる。よって、光の結合効率を向上させ、光の接続損失を低減させることができる。
【００１６】
（７）上記の光コネクタフェルールにおいて、光導波部材を通る光の中心光軸は、レンズの頂点と略一致していてもよい。ここで、従来のようにレンズの頂点が光の中心光軸とずれている場合には、集光位置もずれるので結合効率が低い。しかしながら、上記のように光の中心光軸とレンズの頂点とを略一致させた場合には、他の光コネクタフェルールにおける光導波部材に集光位置を略一致させることができる。従って、光の結合効率を向上させ、光の接続損失を低減させることができる。
【００１７】
［本発明の実施形態の詳細］
本発明の実施形態に係る光コネクタフェルールの具体例を図面を参照しつつ説明する。なお、本発明は、これらの例示に限定されるものではなく、特許請求の範囲によって示され、特許請求の範囲と均等の範囲内での全ての変更が含まれることが意図される。以下の説明では、図面の説明において同一の要素には同一の符号を付し、重複する説明を省略する。
【００１８】
図１は、本発明の一実施形態に係る光コネクタフェルール１０を備える光接続構造１の外観を示す斜視図である。図１に示されるように、光接続構造１は、互いに接続される一対の光コネクタフェルール１０を備えている。これらの光コネクタフェルール１０は、互いに同一の形状を有する透明な樹脂製の部材である。光コネクタフェルール１０を構成する樹脂としては、例えばウルテムやＰＥＩ（ポリエーテルイミド）が挙げられる。また、光コネクタフェルール１０を構成する材料の光の屈折率は例えば１．６０〜１．６５程度である。光コネクタフェルール１０は、複数の光ファイバ（光導波部材）Ｆ１によって構成される光ファイバ束Ｆ２をそれぞれ保持している。
【００１９】
２つの光コネクタフェルール１０は、一方が他方に対し上下反転して対向することにより、所定の接続方向（第１方向）Ａ１に沿って互いに接続される。このような接続が行われることによって、各光コネクタフェルール１０が保持する光ファイバＦ１同士が光学的に接続される。以下の説明では、一対の光コネクタフェルール１０のうち一方の構成について主に述べるが、他方の光コネクタフェルール１０の構成も同様である。
【００２０】
なお、以下では、他の光コネクタフェルール１０を相手方フェルールと称する。また、一対の光コネクタフェルール１０は、互いに所定の接続方向Ａ１に沿って接続されればよく、完全に同一の形状であることは必須ではない。例えば、雄形状の光コネクタフェルールと雌形状の光コネクタフェルールとを一対の光コネクタフェルール１０としてもよい。
【００２１】
図２は、一対の光コネクタフェルール１０のうち一方を示す断面図である。図２に示されるように、光コネクタフェルール１０は、前端面１１と、後端面１２と、第１側面１３と、第２側面１４とを備えている。前端面１１と後端面１２とは、接続方向Ａ１に対向している。第１側面１３と第２側面１４とは、前端面１１と後端面１２とを連結するように接続方向Ａ１に沿って延びている。また、第１側面１３と第２側面１４とは、接続方向Ａ１と交差する方向Ａ２に対向している。本実施形態では、方向Ａ２を上下方向としている。
【００２２】
前端面１１には、上側に位置する第１当接面１１ａと、下側に位置する第２当接面１１ｂと、透過面１１ｃと、反射面１１ｄと、レンズ２０とが設けられている。光ファイバＦ１と、反射面１１ｄ及びレンズ２０と、透過面１１ｃとは、光ファイバＦ１に入出射される光Ｌ１の光路上にこの順で配置される。すなわち、光ファイバＦ１と、反射面１１ｄ及びレンズ２０と、透過面１１ｃとは互いに光学的に接続されている。
【００２３】
第１当接面１１ａは、接続方向Ａ１において相手方フェルールに当接する面である。第１当接面１１ａには、相手方フェルールのガイドピン１１ｆが挿入されるガイドピン穴１１ｅが設けられている。第２当接面１１ｂは、第１当接面１１ａより後側に設けられる。第２当接面１１ｂからはガイドピン１１ｆが接続方向Ａ１に突出している。このガイドピン１１ｆのガイドピン穴１１ｅへの挿入によって、光コネクタフェルール１０と相手方フェルールとは、接続方向Ａ１に沿って接続される。
【００２４】
透過面１１ｃは、相手方フェルールとの光の授受を行う面である。透過面１１ｃは、方向Ａ２と交差する（具体的には方向Ａ２と直交する）平面に沿って延びている。透過面１１ｃは相手方フェルールの透過面１１ｃと対向し、これらの透過面１１ｃ同士で光の授受が行われる。
【００２５】
反射面１１ｄは、接続方向Ａ１及び方向Ａ２に対して傾斜している。反射面１１ｄは、光ファイバＦ１と透過面１１ｃとを結ぶ光Ｌ１を曲折させる。反射面１１ｄにはレンズ２０が形成されている。レンズ２０は、光ファイバＦ１から出射された光をコリメートする。また、レンズ２０は、相手方フェルールから受けたコリメート光を収束して光ファイバＦ１に入射させる。反射面１１ｄと透過面１１ｃとは、光コネクタフェルール１０の前端側に開放的に設けられている。すなわち、反射面１１ｄと透過面１１ｃとは、光コネクタフェルール１０の内部ではなく、光コネクタフェルール１０の外部に形成されている。なお、反射面１１ｄとレンズ２０については後に詳述する。
【００２６】
更に、光コネクタフェルール１０は、光ファイバ束Ｆ２が一括して挿入される挿入穴１５と、複数（本実施形態では２個）の保持穴１６と、第１開口１７と、第２開口１８とを備えている。挿入穴１５は後端面１２に形成されている。第１開口１７と第２開口１８とは、接続方向Ａ１に並んで配置されている。挿入穴１５と第２開口１８とは互いに連通している。第１開口１７と第２開口１８とは、保持穴１６を介して互いに連通している。
【００２７】
第１開口１７は、第２側面１４から方向Ａ２に沿って形成されている。第１開口１７は、前側に位置する第１面１７ａと、後側に位置する第２面１７ｂとを有する。第１面１７ａには、複数段（本実施形態では２段）の第１支持面２１が形成されている。第２面１７ｂには、上述した保持穴１６が形成されている。また、各段の第１支持面２１及び保持穴１６に対応して各光ファイバＦ１が配置される。
【００２８】
第２開口１８は、第２側面１４から方向Ａ２に沿って形成されている。第２開口１８は、前側に位置する第３面１８ａと、後側に位置する第４面１８ｂとを有する。第３面１８ａには、複数段（本実施形態では２段）の第２支持面２２が形成されている。各第２支持面２２は、方向Ａ２に並んで設けられている。
【００２９】
保持穴１６には、被覆が除去された光ファイバＦ１である裸ファイバ露出部分が保持される。保持穴１６から第１開口１７側に突き出された裸ファイバ露出部分は第１支持面２１に支持される。また、保持穴１６に導入される裸ファイバ露出部分は、第２開口１８において、第２支持面２２に支持される。保持穴１６の径は裸ファイバ露出部分の外径より僅かに大きく設定される。
【００３０】
また、第１支持面２１に裸ファイバ露出部分の先端が配置されることにより、光ファイバＦ１とレンズ２０とが光学的に接続される。この第１支持面２１によって光ファイバＦ１の先端の位置が規定される。第１支持面２１によって規定された光ファイバＦ１の先端の位置は、レンズ２０から所定距離だけ離間した位置となる。第１支持面２１は、レンズ２０との間で光の入出射を行う入出射部として機能する。
【００３１】
図３は、相手方フェルールを接続させたときにおける各光ファイバＦ１、各反射面１１ｄ及び各レンズ２０の状態を示す概念図である。すなわち、図３では、相手方フェルールを接続した場合に、反射面１１ｄに形成されたレンズ２０を介して各光ファイバＦ１が光接続された状態を示している。図３に示されるように、方向Ａ２に対する反射面１１ｄの角度は、４５度より小さく、図３の例では４０度とされている。よって、第１支持面２１と反射面１１ｄとの間の光路と、各反射面１１ｄ同士の間の光路との成す角度（反射面１１ｄにおける光の反射角度）は９０度よりも小さい。
【００３２】
また、相手方フェルールが接続されるときに、相手方フェルールの反射面１１ｄは、光コネクタフェルール１０における第１支持面２１の位置よりも相手方フェルール側に位置している。すなわち、相手方フェルールの反射面１１ｄは、光コネクタフェルール１０の透過面１１ｃと第２当接面１１ｂとで構成される領域に位置する。この構成は、反射面１１ｄにおける光の反射角度が７０度より大きく且つ９０度より小さい場合に容易に実現される。
【００３３】
ところで、第１支持面２１は光コネクタフェルール１０の内部に形成されるので、樹脂の射出成形で第１支持面２１を形成する場合には、金型の構造に工夫が必要である。ここで、上記のように、相手方フェルールの反射面１１ｄの位置を光コネクタフェルール１０の第１支持面２１よりも相手方フェルール側とすれば、第１支持面２１と反射面１１ｄ及び透過面１１ｃとを互いに離間させることができるので、上記金型の構造における自由度を高めることができる。
【００３４】
また、図３では、光ファイバＦ１がコア（光導波部材）Ｃ１とクラッドＣ２とを備えており、コアＣ１の各部分から出射される光の光軸を光軸Ｌ２，Ｌ３，Ｌ４として示している。光軸Ｌ２は、方向Ａ２におけるコアＣ１の一端から出射される光の光軸を示している。光軸Ｌ３は、コアＣ１の中心から出射される光の光軸を示している。光軸Ｌ４は、方向Ａ２におけるコアＣ１の他端から出射される光の光軸を示している。
【００３５】
図３に示されるように、コアＣ１の中心から出射される光の光軸Ｌ３はレンズ２０の頂点２０ａと略一致している。ここで、略一致とは、例えば、各部の位置の誤差が１０μｍ以下である状態を示している。また、反射面１１ｄと方向Ａ２との成す角度は４０度となっているので、反射面１１ｄにおける光の反射角度は８０度である。
【００３６】
また、一方の光ファイバＦ１のコアＣ１から接続方向Ａ１に出射された光はレンズ２０によってコリメートされつつ反射される。レンズ２０によってコリメート及び反射された光は、透過面１１ｃを経て相手方フェルールのレンズ２０に到達する。レンズ２０に到達した光は、相手方フェルールの光ファイバＦ１のコアＣ１に集光される。なお、図３では、光の中心光軸のみを示しているが、実際には各光は広がりながら伝搬される。図３では、光が広がりながら伝搬される状態の図示を省略している。
【００３７】
次に、上述した光コネクタフェルール１０と、比較例の光コネクタフェルール１００との対比説明を行う。図４に示されるように、比較例の光コネクタフェルール１００では、反射面１１ｄと方向Ａ２との成す角度が４５度に設定されており、反射面１１ｄにおける光の反射角度は９０度となっている。光コネクタフェルール１００の上記以外の構成は、光コネクタフェルール１０と同様である。
【００３８】
本実施形態に係る光コネクタフェルール１０では、反射面１１ｄと方向Ａ２との成す角度は４５度より小さく、即ち急な角度となっている。よって、コアＣ１の中心から出射された光の光軸Ｌ３と、コアＣ１の端部から出射された光の光軸Ｌ２，Ｌ４とにおいて、接続方向Ａ１における反射位置のばらつき（光路差Ｄ）が比較例よりも小さい。これにより、本実施形態では、各反射面１１ｄ間において、各光軸Ｌ２，Ｌ３，Ｌ４の角度の差も小さくなっている。従って、光ファイバＦ１と反射面１１ｄとの間における光路長差、及び各反射面１１ｄ間における光路長差、をいずれも小さくすることができる。よって、相手方フェルールのコアＣ１への集光位置をずれにくくすることができる。従って、一方の光ファイバＦ１から出射された光が他方の光ファイバＦ１のコアＣ１に結合されるとき、ピンボケを生じにくくさせることができるので、光結合効率を向上させて結合ロスを低減させることができる。
【００３９】
また、光コネクタフェルール１０において、反射面１１ｄにおける光の反射角度は、相手方フェルールとの接続時に、相手方フェルールの反射面１１ｄが、接続方向Ａ１において第１支持面２１よりも相手方フェルール側に配置される角度である。具体的には、例えば反射面１１ｄにおける光の反射角度は７０度より大きく且つ９０度より小さい角度となっている。このような角度とすることにより、光ファイバＦ１の配置位置と、反射面１１ｄ及び透過面１１ｃの配置位置とが離間されるので、光コネクタフェルール１０の製造を容易に行うことができる。
【００４０】
また、光コネクタフェルール１０では、光ファイバＦ１から反射面１１ｄを介して透過面１１ｃに至るまでの光路は、屈折率が１．６０以上且つ１．６５以下の材料によって構成されており、反射面１１ｄにおける光の反射角度は８４度より大きく且つ９０度より小さいことが好ましい。これにより、空気との界面である反射面１１ｄにおいて、光が透過してロスとなることを抑制することができる。従って、光の接続損失を低減させることができる。
【００４１】
図５は、反射面１１ｄにおける光の反射角度と、光が反射面１１ｄで反射されずに透過してしまうことによる透過損失（ミラー透過ロス）との関係を示すグラフである。反射面１１ｄは、屈折率が１．６０以上且つ１．６５以下である樹脂材料で構成されており、屈折率が１．００である空気との界面を構成している。図５に示されるように、反射角度が８６度以上（反射面１１ｄと方向Ａ２との成す角度が４３度以上）である場合には、ミラー透過ロスが殆ど生じていないことが分かる。従って、反射面１１ｄにおける反射角度を８６度以上且つ９０度未満とすれば、樹脂と空気の屈折率差のみを用いるという簡単な構成で反射面１１ｄを形成し、ミラー透過ロスを生じないようにすることができる。
【００４２】
また、反射面１１ｄにおける光の反射角度を８４度以上且つ９０度未満とした場合でも、ミラー透過ロスを小さくすることができ概ね良好である。なお、反射面１１ｄにおける光の反射角度を上記のようにしない場合でも、反射面１１ｄに金属膜を形成する等によって物理的にミラーを形成すれば、ミラー透過ロスを小さくした反射面１１ｄとすることができる。
【００４３】
また、光コネクタフェルール１０において、光ファイバＦ１を通る光の中心光軸である光軸Ｌ３はレンズ２０の頂点２０ａと略一致している。このように光軸Ｌ３と頂点２０ａとを略一致させることによって、相手方フェルールの光ファイバＦ１のコアＣ１に集光位置を略一致させることができる。従って、光の結合効率を向上させ、光の接続損失を低減させることができる。
【００４４】
（第２実施形態）
図６は、第２実施形態に係る光コネクタフェルール３０を示す図である。第２実施形態では、第１実施形態と重複する説明を省略する。図６に示されるように、光コネクタフェルール３０では、第１実施形態のレンズ２０に代えて、トロイダルミラー３１を反射面１１ｄに形成している。トロイダルミラー３１では、反射面１１ｄ内における互いに垂直な２方向（ＸＹ方向）において、焦点距離が互いに異なっている。ここで、Ｙ方向は、上記反射面１１ｄを、透過面１１ｃを透過する光の光軸方向から見たときに接続方向Ａ１と重なる方向である。一方、Ｘ方向は、上記反射面１１ｄ内においてＹ方向に直交する方向である。また、Ｚ方向は、上記反射面１１ｄにおける法線方向である。
【００４５】
ここで、Ｙ方向におけるトロイダルミラー３１の焦点距離は、Ｘ方向におけるトロイダルミラー３１の焦点距離よりも短い。また、トロイダルミラー３１の頂点３１ａは、光ファイバＦ１の中心光軸である光軸Ｌ３と略一致している。反射面１１ｄに到達する光は、反射面１１ｄにおいてＹ方向に長軸を有する楕円状となる。ここで、光の長軸成分と光の短軸成分とを同じ位置で集光するには、光の長軸成分を光の短軸成分よりも大きな屈折角で集光させる必要がある。また、大きな屈折角で集光させるには焦点距離を短くする必要がある。よって、Ｙ方向の焦点距離をＸ方向の焦点距離より短くすることによって、Ｘ方向の光及びＹ方向の光を共に同じ位置で集光させることができる。なお、仮にＸ方向の焦点距離とＹ方向の焦点距離とを同一とした場合、Ｙ方向における光のコリメートが不十分となり、相手方フェルールの光ファイバＦ１のコアＣ１に集光されなくなる光の成分が増加するので光結合効率が低下する。
【００４６】
以上、光コネクタフェルール３０では、反射面１１ｄ内における互いに垂直なＸ方向及びＹ方向において焦点距離が互いに異なるトロイダルミラー３１を備えている。これにより、第１支持面２１から反射面１１ｄに到達する楕円形状の光によりＸ方向及びＹ方向において光のコリメート状態が異なってしまうことを抑制することができる。よって、相手方フェルールの光ファイバＦ１に一層確実に集光させることができる。従って、光の結合効率を向上させ、光の接続損失を低減させることができる。
【００４７】
以上、本発明の実施形態について説明したが本発明は上記実施形態に限定されるものではない。上述した光コネクタフェルール１０において、例えば、第１当接面１１ａには、接続方向Ａ１に延びるガイドピン穴１１ｅが形成され、第２当接面１１ｂからは、ガイドピン１１ｆが接続方向Ａ１に突出していた。しかしながら、当接面、ガイドピン及びガイドピン穴の数と配置態様については適宜変更可能である。例えば、図２の奥行方向における一方側に１個のガイドピンを設け他方側に１個のガイドピン穴を設けてもよい。
【符号の説明】
【００４８】
１…光接続構造、１０，３０…光コネクタフェルール、１１…前端面、１１ａ…第１当接面、１１ｂ…第２当接面、１１ｃ…透過面、１１ｄ…反射面、１１ｅ…ガイドピン穴、１１ｆ…ガイドピン、１２…後端面、１３…第１側面、１４…第２側面、１５…挿入穴、１６…保持穴、１７…第１開口、１７ａ…第１面、１７ｂ…第２面、１８…第２開口、１８ａ…第３面、１８ｂ…第４面、２０…レンズ、２０ａ…頂点、２１…第１支持面、２２…第２支持面、３１…トロイダルミラー、３１ａ…頂点、Ａ１…接続方向、Ａ２…方向、Ｃ１…コア（光導波部材）、Ｃ２…クラッド、Ｄ…光路差、Ｆ１…光ファイバ（光導波部材）、Ｆ２…光ファイバ束、Ｌ１…光、Ｌ２，Ｌ３，Ｌ４…光軸。
【図１】
0006492647.tif 000002
【図２】
0006492647.tif 000003
【図３】
0006492647.tif 000004
【図４】
0006492647.tif 000005
【図５】
0006492647.tif 000006
【図６】
0006492647.tif 000007